(57)【要約】【課題】保護板ずれが生じ難く保護板位置を容易に変更可能な分電盤装置を提供する。【解決手段】前面に開口１０を有する箱体１と、開口を施蓋する扉体と、箱体の背板と平行に取着されるとともに主幹開閉器Ｂｒ１や分岐開閉器Ｂｒ２等の複数の電気機器が取着される基板と、基板に取着される電気機器の操作部Ｂｒ１０，Ｂｒ２０を箱体の前方へ操作可能に臨ませる操作窓３０，３１を有し箱体の開口を塞ぐように背板と平行に取着される保護板３と、箱体の内側部に設けられ複数の電気機器に接続する電線を通すための配線スペースとを備える分電盤装置において、箱体の両側内側にそれぞれ電線のサポートに利用される配線用サポートと、配線用サポートに取着して保護板を固定支持する保護板取付具と、箱体の奥行き方向の任意所定位置にて保護板取付具を配線用サポートに取着する保護板取付具位置奥行調節とを設ける。【選択図】図１
2005130590.tif 000002
【特許請求の範囲】
【請求項１】
前面に開口を有する箱体と、前記開口を施蓋する扉体と、前記箱体の背板と平行に取着されるとともに主幹開閉器や分岐開閉器等の複数の電気機器が取着される基板と、該基板に取着される電気機器の操作部を前記箱体の前方へ操作可能に臨ませる操作窓を有し前記箱体の開口を塞ぐように前記背板と平行に取着される保護板と、前記箱体の内側部に設けられ前記複数の電気機器に接続する電線を通すための配線スペースとを備える分電盤装置において、
前記箱体の両側内側にそれぞれ複数取着されて前記電線のサポートに利用される配線用サポートと、該配線用サポートに取着して前記保護板を固定支持する保護板取付具と、前記箱体の奥行き方向の任意所定位置にて前記保護板取付具を前記配線用サポートに取着する保護板取付具位置奥行調節とを設けたことを特徴とする分電盤装置。
【請求項２】
請求項１記載の分電盤装置において、前記保護板取付具が取り付け可能であって且つ前記箱体の背板と平行に前記配線用サポートに架設可能な中間具と、前記箱体の上下方向で任意所定位置に前記保護板取付具を前記中間具に取着する保護板取付具位置上下調節とを設けたことを特徴とする分電盤装置。
【請求項３】
請求項２記載の分電盤装置において、前記箱体の奥行き方向で任意所定位置にて前記中間具を前記配線用サポートに架設する中間具位置奥行調節を設けたことを特徴とする分電盤装置。
【請求項４】
請求項２又は３記載の分電盤装置において、前記保護板取付具位置奥行調節、または、前記中間具位置奥行調節、または、前記保護板取付具位置上下調節は、ねじ足が貫通する貫通孔と、ねじ足が螺着する複数のねじ孔とから構成されていることを特徴とする分電盤装置。
【発明の詳細な説明】
【技術分野】
【０００１】
本発明は、箱体内に主幹開閉器や分岐開閉器等の電気機器が複数配設され、外部から箱体内に引き込んだ入力電線や分岐電線が前記電気機器に接続される、分電盤装置に関するものである。
【背景技術】
【０００２】
受電した電力をそれぞれのブレーカを介して各負荷に分配するための分電盤装置にあっては、特開平７−２３１５１９号公報に示される如く、前面に開口を有する箱体と、前記開口を施蓋する扉体と、前記箱体の背板と平行に取着されるとともに複数のブレーカが取着される基板と、該基板に取着される複数のブレーカの操作部を前記箱体の前方へ操作可能に臨ませる操作窓を有し且つ前記箱体の開口を塞ぐように前記背板と平行に取着されて操作部以外の雑物や充電部を隠蔽する保護板と、前記箱体の内側部に前記複数のブレーカに接続する電線を通すための配線スペースとを備えている。これらの従来の配電盤装置にあっては、前記保護板を取着するために、保護板支柱が箱体の背板から保護板の四隅の対応する位置に立設され、この保護板支柱の先端に保護板が取着される。
【０００３】
また、保護板支柱の代わりに、特開平１０−５１９１１号公報に示される如く、箱体の開口縁近傍部に中間具が溶接され、この中間具に保護板が開閉自在に取着される場合もある。
【特許文献１】特開平７−２３１５１９号公報
【特許文献２】特開平１０−５１９１１号公報
【発明の開示】
【発明が解決しようとする課題】
【０００４】
ところが、保護板支柱を有する分電盤装置にあっては、配線スペースに配設され各ブレーカ等の電気機器に接続する各電線を整然と見栄え良く纏めるために、前記保護板支柱に各電線を紐やバンドにて結束するため、各電線が比較的太いものであると、保護板支柱が各電線のスプリングバックや荷重によって撓んで保護板の位置ずれを生じさせる。そのため、基板に取着された複数のブレーカ等の電気機器の操作部が、保護板の操作窓の略中央の所定位置に操作可能に臨むように予め設計されているにもかかわらず、所定位置からずれて偏ってしまい、見苦しくなったり保護板を開閉するのが困難になったりする、という問題点があった。
【０００５】
また、箱体の開口縁近傍部に中間具を溶接した分電盤装置にあっては、保護板の奥行き方向の位置変更が不可能であるとともに、現場の状況に応じて受注を受ける特注品にあっては、予め溶接された中間具が無駄になる場合があるという問題点があった。
【０００６】
本願発明は、上記の従来背景技術に鑑みて発明されたものであり、その課題は、保護板の位置ずれが生じ難く、受注仕様に応じて保護板の取り付け位置をフレキシブルに変更できて、多様な受注仕様に対応し易く、短納期化を実現できる分電盤装置を提供することにある。
【課題を解決するための手段】
【０００７】
上記課題を解決するために、請求項１の発明は、前面に開口を有する箱体と、前記開口を施蓋する扉体と、前記箱体の背板と平行に取着されるとともに主幹開閉器や分岐開閉器等の複数の電気機器が取着される基板と、該基板に取着される電気機器の操作部を前記箱体の前方へ操作可能に臨ませる操作窓を有し前記箱体の開口を塞ぐように前記背板と平行に取着される保護板と、前記箱体の内側部に設けられ前記複数の電気機器に接続する電線を通すための配線スペースとを備える分電盤装置において、前記箱体の両側内側にそれぞれ複数取着されて前記電線のサポートに利用される配線用サポートと、該配線用サポートに取着して前記保護板を固定支持する保護板取付具と、前記箱体の奥行き方向の任意所定位置にて前記保護板取付具を前記配線用サポートに取着する保護板取付具位置奥行調節とを設けたことを特徴とする。
【０００８】
この請求項１の発明によれば、箱体の両側内側にそれぞれ複数の配線用サポートが取着されており、外部から箱体内に引き込んだ入力電線や分岐電線を、保護板の支持部材とは別の前記配線用サポートに紐やバンドにて結束することができるため、各電線が比較的太いものであっても各電線のスプリングバックや荷重を充分に支えることができるので、保護板の位置ずれを生じさせることがなく、基板に取着された複数のブレーカ等の電気機器の操作部が予め設計された保護板の操作窓の所定位置に操作可能に臨むことができて、保護板が所定位置から偏ってずれてしまい見苦しくなったり、保護板を開閉するのが困難になったりすることがなくなるとともに、箱体の開口を施蓋する扉体に表示器や計測メータなどを取り付けることで表示器や計測メータの本体が扉体の裏側へ突出する場合等、基板位置とともに保護板位置を箱体の奥方向にずらして取り付ける必要があるが、このとき保護板取付具位置奥行調節を用いて、箱体の開口位置に対する保護板の奥行方向位置の変更を簡単に行うことができる。
【０００９】
請求項２の発明は、請求項１記載の分電盤装置において、前記保護板取付具が取り付け可能であって且つ前記箱体の背板と平行に前記配線用サポートに架設可能な中間具と、前記箱体の上下方向で任意所定位置に前記保護板取付具を前記中間具に取着する保護板取付具位置上下調節とを設けたことを特徴とする。
【００１０】
この請求項２の発明によれば、請求項１の発明の効果に加えて、特注仕様等で保護板が上下で分割されたり、上方に積算電力計等を取り付けるとの理由で保護板の無いスペースが必要になった場合でも、保護板取付具位置上下調節を用いて、箱体の開口に対する保護板の上下方向位置の変更や保護板の分割、追加が可能になるので、ユーザーの要望にきめ細かく対応することができる。
【００１１】
請求項３の発明は、請求項２記載の分電盤装置において、前記箱体の奥行き方向で任意所定位置にて前記中間具を前記配線用サポートに架設する中間具位置奥行調節を設けたことを特徴とする。
【００１２】
この請求項３の発明によれば、請求項２の発明の効果に加えて、請求項１の発明の効果も備えさせることができる。
【００１３】
請求項４の発明は、請求項２又は３記載の分電盤装置において、前記保護板取付具位置奥行調節、または、前記中間具位置奥行調節、または、前記保護板取付具位置上下調節は、ねじ足が貫通する貫通孔と、ねじ足が螺着する複数のねじ孔とから構成されていることを特徴とする。
【００１４】
この請求項４の発明によれば、請求項２又は３の発明の効果に加えて、保護板位置の奥行調節や上下調節が、ねじ足の貫通する貫通孔とねじ足の螺着する複数のねじ孔とを設けるという安価で簡単な加工にて、可能になる。
【発明の効果】
【００１５】
以上説明したように、本発明では、箱体の両側内側にそれぞれ複数の配線用サポートが取着されており、外部から箱体内に引き込んだ入力電線や分岐電線を、保護板の支持部材とは別の前記配線用サポートに紐やバンドにて結束することができるため、各電線が比較的太いものであっても各電線のスプリングバックや荷重を充分に支えることができるので、保護板の位置ずれを生じさせることがなく、基板に取着された複数のブレーカ等の電気機器の操作部が予め設計された保護板の操作窓の所定位置に操作可能に臨むことができて、保護板が所定位置から偏ってずれてしまい見苦しくなったり、保護板を開閉するのが困難になったりすることがなくなるとともに、箱体の開口を施蓋する扉体に表示器や計測メータなどを取り付けることで表示器や計測メータの本体が扉体の裏側へ突出する場合等、基板位置とともに保護板位置を箱体の奥方向にずらして取り付ける必要があるが、このとき保護板取付具位置奥行調節を用いて、箱体の開口位置に対する保護板の奥行方向位置の変更を簡単に行うことができる、という効果がある。
【発明を実施するための最良の形態】
【００１６】
以下に本発明の実施の形態を図面に基づいて説明する。
（実施形態１）
本発明の実施形態１を図１〜図８に基づいて説明する。なお、以下の説明では、特に断りの無い限り、図２に示す向きにおいて上下左右の方向を規定して説明を行う。分電盤装置は、箱体の前面の開口を保護板を含め前方から施蓋する扉体を有するが、図１及び図２においては扉体を省略している。また、図２（ｂ）、図２（ｃ）においては、説明の都合上、内器を省略している。
【００１７】
図１乃至図３に示すように、実施形態１の分電盤装置は、箱体１と、扉体２と、保護板３と、内器４，５とを備える。箱体１は、建築物の壁面などに設置されるもので、縦長長方形の背板１１の一対の横辺からそれぞれ前方に向かって延出するように形成された上板１２と下板１３と、縦長長方形の背板１１の一対の縦辺からそれぞれ前方に向かって延出するように形成された側板１４，１５とを備える。上板１２と下板１３及び側板１４，１５の前方には、それぞれ内側へ略直角に折曲し延出して前縁面１６が形成され、更にそれぞれ前方へ略直角に折曲し延出して開口１０が形成され、更にそれぞれ外側へ略直角に折曲し延出して鍔面１７が形成される。また、箱体１は、側板１５を延出した前縁面１６と開口１０と鍔面１７とで形成される凹溝部に、複数のヒンジ受け金具１８が取着される。
【００１８】
扉体２は、正面視で箱体１の背面１１と略同じ大きさで、保護板３を含めて前方から開口１０を施蓋するものであり、図３に示すように、扉前面部２０と、扉前面部２０の周縁から後方へ直角に延出される扉周壁面２１と、扉周壁面２１の周縁から内側へ略直角に折曲し延出された対向縁面２２とを備える。扉体２は、当該分電盤装置の図面や仕様書を収納する収納ケース部２８を裏面に備える。扉体２は箱体１の複数のヒンジ受け金具１８，１８に対応する個所にヒンジ金具２３，２３を備えていて、このヒンジ金具２３はヒンジ受け金具１８によって回動自在に受けられる。扉体２は、箱体１の側板１４を延出して形成した前縁面１６に対応する長手中央部付近のやや右寄りにハンドル装置２４を備える。ハンドル装置２４は、ハンドル２５によって回動されて、箱体１の側板１４を延出して形成した前縁面１６の長手中央位置付近に係止する係止金具２６を有する。また、扉前面部２０の裏面の、箱体１の鍔面１７に当接する部分には、傷つき防止のための緩衝用パッキン２７が貼り付けられる。
【００１９】
保護板３は箱体１の内部を隠して見栄えを良くするとともに人が充電部に触れて感電することを防止するものである。保護板３は、正面視で開口１０と略同じ大きさの矩形の板状物であり、左右両端を後方へ直角に折曲して延出するとともにその延出部を更に内側へ直角に折曲し延出して両端を断面コ字状に形成することによって強度を向上させて撓み難くしてある。保護板３は、主幹ブレーカＢｒ１の操作部Ｂｒ１０を操作可能に裏面側から前面側に臨ませるための窓孔３０と、分岐ブレーカＢｒ２の操作部Ｂｒ２０を操作可能に裏面側から前面側に臨ませるための窓孔３１，３１とが、それぞれ穿設される。本実施形態では、窓孔３１，３１のそれぞれは、１２個並設した状態の分岐ブレーカＢｒ２，…Ｂｒ２を纏めて臨ませることのできる細長い矩形とされる。窓孔３１，３１の間には、それぞれの分岐ブレーカＢｒ２，…Ｂｒ２の受け持つ負荷名称を表示するための負荷名称表示部３２が設けられている。
【００２０】
なお、本実施の形態では、保護板３の右側縦辺部近傍が保護板３を開閉する際の回動軸線とされており、保護板３の右側縦辺部の上端に上部蝶番３４が取着され、保護板３の右側縦辺部の下端に下部蝶番（図示せず）が設けられる。上部蝶番３４は上方に向かって付勢されて上方へ突出する軸棒３４ａを備える。軸棒３４ａの上端部は、窄ませることで、穿設された孔に貫通し易くされている。軸棒３４ａの下部には操作杆３４ｂが備えられ、指で操作杆３４ｂを付勢力に逆らって下方へ引き下げ操作することによって、軸棒３４ａの突出した上端部を引っ込めることができる。下部蝶番（図示せず）には軸受孔（図示せず）が設けられている。また、保護板３の左側縦辺部の両端近傍部には、閉じた保護板３を固定するためのローレットねじ３３，３３が、ねじ足を前方から後方へ貫通させた状態で回転自在に取着されている。
【００２１】
主幹ブレーカＢｒ１は基板４０に取着されて内器４を形成する。分岐ブレーカＢｒ２，…Ｂｒ２と母線Ｂ１，Ｂ２，Ｂ３は基板５０に取着されて内器５を形成する。なお、分岐ブレーカＢｒ２，…Ｂｒ２の入力側は母線Ｂ１，Ｂ２，Ｂ３に接続される。母線Ｂ１，Ｂ２，Ｂ３は絶縁材から成る母線受台５１を介して基板５０に取着される。内器４と内器５とは箱体１の背板１１の内側に取着された断面コ字状のフレーム６，６の頂部に立設される複数の支柱金具７，…７にそれぞれ架設され、主幹ブレーカＢｒ１の出力部は渡りバーＡ１，Ａ２，Ａ３を介して母線Ｂ１，Ｂ２，Ｂ３に電気的に接続される。なお、現場に設置して使用状態にある分電盤装置にあっては、主幹ブレーカＢｒ１の入力部には入力電線（図示せず）が接続され、分岐ブレーカＢｒ２，…Ｂｒ２の出力部には負荷電線（図示せず）が接続される。
【００２２】
ところで、箱体１の側板１４を延出して形成した前縁面１６と背板１１との間及び箱体１の側板１５を延出して形成した前縁面１６と背板１１との間には、それぞれ配線用サポート８０が溶接などにより適宜間隔をおいて複数取着される。本実施形態の分電盤装置にあっては、図２に示すように、配線用サポート８０は、上部と中部と下部とに、奥行方向に左右それぞれ３箇所づつ取着される。配線用サポート８０は、詳しくは図４に示すように、細長い矩形の金属製の中央片８０ａの両端をそれぞれ同方向に直角に延出して形成した延出片８０ｂ，８０ｂを備えるコ字状のものである。配線用サポート８０は、延出片８０ｂ，８０ｂの先端が側板１４または側板１５に当接するとともに、延出片８０ｂ，８０ｂの一方の外側面を箱体１の前縁面１６に当接させ他方の外側面を箱体１の背面１１に当接させて強固に溶接されている。中央片８０ａと側板１４，１５との間には延出片８０ｂの延出長さ分の隙間が形成される。中央片８０ａには、短手方向中央で長手方向に、中間具位置奥行調節（保護板取付具位置奥行調節）に相当するねじ孔８０ｃ，…８０ｃが所定間隔をおいて穿設されている。延出片８０ｂ，８０ｂの外面間隔は、箱体１の前縁面１６と背板１１との間隔に、略一致している。
【００２３】
前述のようにして箱体１に取着される側板１４側の配線用サポート８０，…８０と側板１５側の配線用サポート８０，…８０とには、中間具８１がねじ１００を介してそれぞれねじ止めされる。中間具８１，８１は、板金を折曲した棒状のもので、それぞれ箱体１の前縁面１６から等距離の位置に、舌片８１ｅを前方にしてそれぞれねじ止めされる。中間具８１は、詳しくは図８に示すようなもので、細長い矩形の中央片８１ａの一方の長手方向辺を直角方向に延出して側片８１ｂを形成し、側片８１ｂの長手方向辺を更に直角方向に延出して中央片８１ａの裏側に裏片８１ｃを形成し、中央片８１ａの他方の長手方向辺を側片８１ｂと同方向に直角に対向するように延出して側片８１ｄを形成し、側片８１ｄの長手方向辺を裏片８１ｃとは反対の方向へ直角方向に延出して舌片８１ｅを形成している。中間具８１は、配線用サポート８０に、ねじ１００を介してねじ止めするための、止め孔８１ｆ，…８１ｆと止め孔８１ｇ，…８１ｇとを備える。止め孔８１ｆ，…８１ｆは裏片８１ｃに、止め孔８１ｇ，…８１ｇは舌片８１ｅに、それぞれ穿設される。なお、ねじ１００のねじ足を中央片８１ａ側から裏片８１ｃに穿設された止め孔８１ｆ，…８１ｆに貫通できるように、切欠８１ｈ，…８１ｈが中央片８１ａと側片８１ｂとに設けられる。中央片８１ａには、短手方向中央で長手方向に、保護板取付具位置上下調節に相当するねじ孔８１ｉ，…８１ｉが所定間隔をおいて穿設されている。
【００２４】
図２に示すように、側板１４側に設けられた配線用サポート８０，…８０に取着される中間具８１の両端付近には、保護板取付具に相当する止め具８２がねじ１０１を介してそれぞれねじ止め取着される。止め具８２は、図５に詳細を示すように、略Ｌ字状の金具であり、取着片８２ａと突片８２ｂとを備える。突片８２ｂの中央位置よりやや先端方向に寄った位置には、ねじ受け金具８２ｃが溶接等によって取着される。ねじ受け金具８２ｃは、円柱状のもので、先端部から突片８２ｂに取着している基底部にかけてロート状の凹部８２ｄが形成され、ロート状の凹部８２ｄの細く窄んだ部分には、ローレットねじ３３のねじ足を螺着できるタップ加工が施される。突片８２ｂには、ねじ受け金具８２ｃに螺着したローレットねじ３３のねじ足の先端を逃がすための、逃がし孔８２ｅが設けられる。取着片８２ａには、中間具８１に穿設したねじ孔８１ｉ，…８１ｉに対応する間隔で、ねじ１０１のねじ足を挿通できる止め孔８２ｆ，８２ｆが穿設される。
【００２５】
図２に示すように、側板１５側に設けた配線用サポート８０，…８０に取着される中間具８１の上端には、保護板取付具に相当する上部蝶番受具８３がねじ１０１を介してねじ止め取着され、下端には保護板取付具に相当する下部蝶番受具８４がねじ１０１を介してねじ止め取着される。上部蝶番受具８３は、図６に示すように、上片８３ａと側片８３ｂとを有する正面視Ｌ字形の金具である。上片８３ａの先端付近は前方へやや差し出されており、先端部近傍に軸孔８３ｃが穿設される。側片８３ｂには、中間具８１に穿設したねじ孔８１ｉ，…８１ｉに対応する間隔で、ねじ１０１のねじ足を挿通できる止め孔８３ｄ，８３ｄが穿設される。下部蝶番受具８４は、図７に示すように、下片８４ａと側片８４ｂとを有する正面視Ｌ字形の金具である。下片８４ａは、上部蝶番受具８３の上片８３ａと同様に、先端付近は前方へやや差し出されており、先端部近傍に軸突起８４ｃが上方に向かって突設される。側片８４ｂには、中間具８１に穿設したねじ孔８１ｉ，…８１ｉに対応する間隔で、ねじ１０１のねじ足を挿通できる止め孔８４ｄ，８４ｄが穿設される。
【００２６】
保護板３は、保護板３の右側縦辺部の下端に設けられた下部蝶番（図示せず）の軸受孔（図示せず）を、中間具８１の下端に取着する下部蝶番受具８４の軸突起８４ｃに宛がうとともに、保護板３の右側縦辺部の上端に設けられた上部蝶番３４の上方に向かって付勢され上方へ突出する軸棒３４ａを、指で操作杆３４ｂを付勢力に逆らって下方へ引き下げ操作し、中間具８１の上端に設けられた上部蝶番受具８３の軸孔８３ｃに軸棒３４ａを合わせた後に指から操作杆３４ｂを放し軸棒３４ａを軸孔８３ｃに差し込むことによって、箱体１の開口１０近傍に開閉自在に取着される。
【００２７】
上述のような実施形態１の分電盤装置にあっては、受注仕様によって、例えば図９に示すように、突出部Ｃ１が裏面側に突出するような電源灯Ｃ等を扉体２の扉前面部２０に取着しなければならないような場合、次のように、簡単に対応することができる。すなわち、図３と図９とを比較すれば明らかなように、断面コ字状のフレーム６，６の頂部に立設される複数の支柱金具７，…７を、電源灯Ｃの突出部Ｃ１の突出代寸法だけ低くした支柱金具７，７に取り換えるとともに、この取り換えた低い高さの支柱金具７，７に内器４と内器５とを架設する。また、同時に、ねじ１００，…１００を緩めて左右の中間具８１，８１を配線用サポート８０，…８０から取り外し、電源灯Ｃの突出部Ｃ１の突出代寸法だけ中間具８１，８１を背板１１の方向すなわち奥行方向へずらした上で、中間具８１，８１の止め孔８１ｆ，…８１ｆと止め孔８１ｇ，…８１ｇとにねじ１００，…１００のねじ足を通して配線用サポート８０，…８０のねじ孔８０ｃ，…８０ｃにねじ１００，…１００をねじ止めし、再び中間具８１，８１を配線用サポート８０，…８０に取り付けることによって、簡単に対応することができる。
【００２８】
すると、扉体２の扉前面部２０に取着した電源灯Ｃの突出部Ｃ１の突出代寸法だけ、内器４と内器５が奥行方向に奥まるとともに、中間具８１，８１とともに保護板３も奥行方向に奥まり、電源灯Ｃを取着した扉体２を支障なく箱体１の開口１０に対し施蓋することができる。つまり、中間具位置奥行調節（保護板取付具位置奥行調節）に相当するねじ孔８０ｃ，…８０ｃが配線用サポート８０，…８０に設けられているので、保護板３の奥行位置を容易に変更することが可能で、扉体２への電源灯Ｃの取り付けなどの受注仕様にも迅速に対応できるとともに、専用の配線用サポートとして箱体１に配線用サポート８０，…８０が強固に溶接等で固着されているので、箱体１の側板１４，１５の内側の配線スペースに配設されて主幹ブレーカＢｒ１や分岐ブレーカＢｒ２に接続される各電線を整然と見栄え良く纏めるために、比較的太い電線を紐やバンドにて配線用サポート８０，…８０に結束しても保護板の位置ずれを生じることもなく、基板４０，５０に取着される主幹ブレーカＢｒ１や分岐ブレーカＢｒ２，…Ｂｒ２の操作部Ｂｒ１０，Ｂｒ２０が、保護板３の操作窓３０，３１の略中央の所定位置に操作可能に臨むように予め設計されているにもかかわらず、所定位置からずれて偏ってしまい、見苦しくなったり保護板３を開閉するのが困難になったりすることもない。
【００２９】
また、受注仕様によって、例えば箱体１の内部上方に積算電力計等を設置するために、保護板３の高さ寸法を低くして、保護板３の上方に積算電力計等を設置する空間を空ける必要がある場合などにあっては、上方の止め具８２と上部蝶番受具８３とを、必要な寸法だけそれぞれ下げた位置にて中間具８１，８１の保護板取付具位置上下調節に相当するねじ孔８１ｉにねじ１０１にてねじ止めし、中間具８１，８１に上方の止め具８２と上部蝶番受具８３とを簡単に取着することによって、素早く組み立て対応することができる。
【００３０】
（実施形態２）
本発明の実施形態２を図１０〜図１３に基づいて説明する。なお、以下の説明では、特に断りの無い限り、実施形態１に準じ上下左右の方向を規定して説明を行う。
【００３１】
実施形態２の分電盤装置が実施形態１の分電盤装置と異なるのは、図１０に示すように、実施形態２の分電盤装置は、実施形態１の分電盤装置の中間具８１，８１を備えないこと、及び、止め具８２、上部蝶番受具８３、下部蝶番受具８４が、中間具８１を介して配線用サポート８０に取着されるのではなく、配線用サポート８０にねじ１００にて直接に取着されることである。それ以外は、実施形態２の分電盤装置と実施形態１の分電盤装置とでは同様であるので、共通する構成要素には同一の符号を付すことにして、その説明は要点のみとし、その他の説明は省略する。
【００３２】
そこで、止め具８２、上部蝶番受具８３、下部蝶番受具８４を配線用サポート８０に直接に取着するため、実施形態１の分電盤装置の中間具８１がない分、実施形態２の分電盤装置の止め具８２にあっては、図１１に示すように、ねじ受け金具８２ｃと取着片８２ａとの間隔が長くされるとともに、止め孔８２ｆ，８２ｆが突片８２ｂに対し直角の方向に並べて取着片８２ａに配線用サポート８０のねじ孔８０ｃ，…８０ｃの間隔に合わせて穿設される。また、実施形態２の分電盤装置の上部蝶番受具８３にあっては、図１２に示すように、軸孔８３ｃと側片８３ｂとの間隔が長くされるとともに、止め孔８３ｄ，８３ｄが上片８３ａに対し平行な方向に並べて側片８３ｂに配線用サポート８０のねじ孔８０ｃ，…８０ｃの間隔に合わせて穿設される。更に、実施形態２の分電盤装置の下部蝶番受具８４にあっては、図１３に示すように、軸突起８４ｃと側片８４ｂとの間隔が長くされるとともに、止め孔８４ｄ，８４ｄが下片８４ａに対し平行な方向に並べて側片８４ｂに配線用サポート８０のねじ孔８０ｃ，…８０ｃの間隔に合わせて穿設される。
【００３３】
上述のような実施形態２の分電盤装置にあっては、受注仕様によって、例えば図９に示すような場合のように、突出部Ｃ１が裏面側に突出するような電源灯Ｃ等を扉体２の扉前面部２０に取着しなければならないような場合、次のように、簡単に対応することができる。すなわち、断面コ字状のフレーム６，６の頂部に立設される複数の支柱金具７，…７を、電源灯Ｃの突出部Ｃ１の突出代寸法だけ低い支柱金具７，７に取り換えるとともに、この取り換えた低い支柱金具７，７に内器４と内器５とを架設する。また、同時に、ねじ１００，…１００を緩めて止め具８２，８２、上部蝶番受具８３、下部蝶番受具８４をそれぞれ配線用サポート８０，…８０から取り外し、電源灯Ｃの突出部Ｃ１の突出代を吸収できる寸法だけ、止め具８２，８２、上部蝶番受具８３、下部蝶番受具８４を背板１１の方向すなわち奥行方向へずらした上で、ねじ１００，…１００によって、止め具８２，８２、上部蝶番受具８３、下部蝶番受具８４を配線用サポート８０，…８０にねじ止めし、再び止め具８２，８２、上部蝶番受具８３、下部蝶番受具８４を配線用サポート８０，…８０に取り付けることによって、簡単に対応することができる。
【００３４】
すると、扉体２の扉前面部２０に取着した電源灯Ｃの突出部Ｃ１の突出代寸法だけ、内器４と内器５が奥行方向に奥まるとともに、保護板３も奥行方向に奥まり、電源灯Ｃを取着した扉体２を支障なく箱体１の開口１０に対し施蓋することができる。つまり、保護板取付具位置奥行（調節中間具位置奥行調節）に相当するねじ孔８０ｃ，…８０ｃが配線用サポート８０，…８０に設けられているので、保護板３の奥行位置を容易に変更することが可能で、扉体２への電源灯Ｃの取り付けなどの受注仕様にも迅速に対応できるとともに、専用の配線用サポートとして箱体１に配線用サポート８０，…８０が強固に溶接等で固着されているので、箱体１の側板１４，１５の内側の配線スペースに配設されて主幹ブレーカＢｒ１や分岐ブレーカＢｒ２に接続される各電線を整然と見栄え良く纏めるために、比較的太い電線を紐やバンドにて配線用サポート８０，…８０に結束しても保護板の位置ずれを生じることもなく、基板に取着される主幹ブレーカＢｒ１や分岐ブレーカＢｒ２，…Ｂｒ２の操作部Ｂｒ１０，Ｂｒ２０が、保護板３の操作窓３０，３１の略中央の所定位置に操作可能に臨むように予め設計されているにもかかわらず、所定位置からずれて偏ってしまい、見苦しくなったり保護板３を開閉するのが困難になったりすることもない。
【００３５】
なお、前述の実施形態１や実施形態２の分電盤装置にあっては、保護板取付具位置奥行調節、中間具位置奥行調節、保護板取付具位置上下調節は、所定間隔で穿設される安価な加工で済むねじ孔とされているが、本発明はこれに限定されるものではなく、奥行方向あるいは上下方向に他の手段によって連続的にあるいは離散値的に調節するものであっても良いことは言うまでも無い。
【図面の簡単な説明】
【００３６】
【図１】本願発明の一実施形態である分電盤装置を扉体を省略して示す正面図。
【図２】本願発明の一実施形態である分電盤装置における（ａ）は扉体と保護板とを省略して示す正面図、（ｂ）は同分電盤装置における扉体と保護板と内器とを省略して示すＢ−Ｂ断面図、（ｃ）は同分電盤装置における扉体と保護板と内器とを省略して示すＡ−Ａ断面図。
【図３】本願発明の一実施形態である分電盤装置における下から見た横断面図。
【図４】本願発明の一実施形態である分電盤装置における配線用サポートを示す（ａ）は側面図、（ｂ）は正面図。
【図５】本願発明の一実施形態である分電盤装置における止め具を示す（ａ）は正面図、（ｂ）は側面図、（ｃ）は断面図。
【図６】本願発明の一実施形態である分電盤装置における上部蝶番受具を示す（ａ）は側面図、（ｂ）は正面図、（ｃ）は底面図。
【図７】本願発明の一実施形態である分電盤装置における下部蝶番受具を示す（ａ）は平面図、（ｂ）は正面図、（ｃ）は側面図。
【図８】本願発明の一実施形態である分電盤装置における中間具を示す（ａ）は側面図、（ｂ）は正面図、（ｃ）は平面図。
【図９】本願発明の一実施形態である分電盤装置における保護板と内器とを奥に配設した状態を示す下から見た横断面図。
【図１０】本願発明の別の実施形態である分電盤装置おける下から見た横断面図。
【図１１】本願発明の別の実施形態である分電盤装置おける止め具を示す（ａ）は正面図、（ｂ）は側面図、（ｃ）は断面図。
【図１２】本願発明の別の実施形態である分電盤装置おける上部蝶番受具を示す（ａ）は側面図、（ｂ）は正面図、（ｃ）は底面図。
【図１３】本願発明の別の実施形態である分電盤装置おける下部蝶番受具を示す（ａ）は平面図、（ｂ）は正面図、（ｃ）は側面図。
【符号の説明】
【００３７】
１        箱体
２        扉体
３        保護板
１０      開口
１１      背板
３０      操作窓
３１      操作窓
４０      基板
５０      基板
８０      配線用サポート
８０ｃ    保護板取付具位置奥行調節（中間具位置奥行調節）
８１      中間具
８１ｉ    保護板取付具位置上下調節
８２      保護板取付具
８３      保護板取付具
８４      保護板取付具
Ｂｒ１    電気機器（主幹開閉器）
Ｂｒ２    電気機器（分岐開閉器）
Ｂｒ１０  操作部
Ｂｒ２０  操作部
【図１】
2005130590.tif 000003
【図２】
2005130590.tif 000004
【図３】
2005130590.tif 000005
【図４】
2005130590.tif 000006
【図５】
2005130590.tif 000007
【図６】
2005130590.tif 000008
【図７】
2005130590.tif 000009
【図８】
2005130590.tif 000010
【図９】
2005130590.tif 000011
【図１０】
2005130590.tif 000012
【図１１】
2005130590.tif 000013
【図１２】
2005130590.tif 000014
【図１３】
2005130590.tif 000015